(57)【特許請求の範囲】
【請求項１】
光ファイバ多心ＭＴコネクタの接続点を含む光ファイバケーブルの、接続点と接続点との間の分岐切替区間の現用光ファイバテープ心線を、切替用光ファイバテープ心線に交換するための切替接続システムであって、
該分岐切替区間光ファイバテープ心線の一端には、現用光ファイバテープ心線に対応する心数の心線を収容する第１多心ＭＴコネクタが接続され、他端には、第１多心ＭＴコネクタに収容された心線の他端を分岐収容する第２及び第３多心ＭＴコネクタが接続されており、
第１多心ＭＴコネクタ、第２多心ＭＴコネクタ及び第３多心ＭＴコネクタが、それぞれ現用ケーブルと接続された第１接続点、第２接続点及び第３接続点で、該分岐切替区間現用光ファイバテープ心線を切替用光ファイバテープ心線に切替接続するに際し、
各第１接続点、第２接続点及び第３接続点に、切替接続を行うための第１光ファイバコネクタ切替装置、第２光ファイバコネクタ切替装置及び第３光ファイバコネクタ切替装置をそれぞれ設け、前記第１の光ファイバコネクタ切替装置と第２及び第３の光ファイバコネクタ切替装置との間において同期とりながら切替動作を行い、
前記第１、第２及び第３の光ファイバコネクタ切替装置の切替動作として、現用光ファイバを切替用光ファイバに切替接続する切替接続動作と、当該切替接続前の動作及び切替接続後の動作とを含み、切替接続動作を第１の光ファイバコネクタ切替装置と第２及び第３の光ファイバコネクタ切替装置との間において同時に行い、前記切替接続の前後の動作は第１の光ファイバコネクタ切替装置と第２及び第３の光ファイバコネクタ切替装置との間においてタイミングをずらして行うことを特徴とする光ファイバケーブル３点切替接続システム。
【請求項２】
前記３台の光ファイバコネクタ切替装置間で切替動作同期をとるために、それぞれの光ファイバコネクタ切替装置には同期切替制御装置が接続され、
第１接続点に設置される主同期切替制御装置は２系統の同期制御機能を持ち、該主同期切替制御装置からの切替同期制御信号は２系統の制御用光ファイバ心線を介して第２及び第３接続点のそれぞれに設置した従同期切替制御装置に送出され、光ファイバコネクタ切替装置３台の同期切替動作を可能にしたことを特徴とする請求項１に記載の光ファイバケーブル３点切替接続システム。
【請求項３】
前記第１、第２及び第３の光ファイバコネクタ切替装置のそれぞれは、第１、第２及び第３接続点における切替接続動作前の動作として、コネクタ結合状態保持用ＭＴコネクタクリップを取り外すため、ＭＴコネクタクリップの結合保持状態を機械的に維持するための押圧印加動作、コネクタ嵌合ピンの抜き動作及びＭＴコネクタクリップ取り外し動作を行い、
コネクタ切替接続動作後の動作として、コネクタ結合状態保持用ＭＴコネクタクリップ取り付け動作、ＭＴコネクタクリップに対する押圧を解放するための押圧解放動作を行うことを特徴とする請求項１又は２に記載の光ファイバケーブル３点切替接続システム。
【発明の詳細な説明】
【０００１】
【発明の属する技術分野】
本発明は、例えば光ファイバケーブル線路の一部区間の故障又は移転等の際に旧回線の光ファイバ多心コネクタの接続状態を新回線に短時間で切替接続することができる光ファイバケーブル３点切替接続システムに関する。
【０００２】
光ファイバケーブル切替接続システムとしては、第１接続点とそれに対向する第２接続点の２接続点間からなる切替区間現用光ファイバテープ心線を、２点間で同期をとりながら切替用光ファイバテープ心線に、光ファイバ多心ＭＴコネクタ単位（８心ＭＴと８心ＭＴ又は４心ＭＴと４心ＭＴの対向切替接続）で切替接続を行うシステムが開発されている。これを図１を用いて説明する。
【０００３】
図１においては、１は主同期切替制御装置、２ａ及び２ｂは光ファイバ多心コネクタ切替装置、３は従同期切替制御装置、４は切替区間現用光ファイバテープ心線、５は切替用光ファイバテープ心線、６ａ及び６ｄは現用ケーブル側光ファイバ多心コネクタ、６ｂ及び６ｃは切替区間現用光ファイバ多心コネクタ、７ａ及び７ｂは切替用光ファイバ多心コネクタ、８は制御用光ファイバ心線、９ａ及び９ｂは切替区間外の現用光ファイバテープ心線である。
【０００４】
図１に示す従来の光ファイバケーブル切替接続システムの切替接続動作は、次のとおりである。先ず、図１（ａ）  に示すように、光ファイバ多心コネクタ切替装置２ａ及び２ｂの各々に、現用ケーブル側光ファイバ多心コネクタ６ａ及び６ｄ、切替区間現用光ファイバ多心コネクタ６ｂ及び６ｃ並びに切替用光ファイバ多心コネクタ７ａ及び７ｂを設置する。この状態で、主同期切替制御装置１及び従同期切替制御装置３により、制御用光ファイバ心線８を介して２点間の同期をとり、光ファイバ多心コネクタ切替装置２ａ及び２ｂがほぼ同時に動作するように制御し、図１（ｂ）  に示すように、現用ケーブル側光ファイバ多心コネクタ６ａ及び６ｄを切替用光ファイバ多心コネクタ７ａ及び７ｂに、瞬時に突き合わせて切替える。
【０００５】
しかしながら、このような従来のシステムの場合、２点間の光ファイバ多心コネクタの形態が、例えば４心コネクタと４心コネクタ又は８心コネクタと８心コネクタのように同一の光ファイバ多心コネクタ間での対向切替えにしか適用できず、例えば８心コネクタと４心コネクタ＋４心コネクタのような３点間対向切替えは手作業での切替接続を行う以外に方法がなかった。
【０００６】
【発明が解決しようとする課題】
本発明の目的は、上述のような状況に鑑み、例えば８心コネクタと４心コネクタ＋４心コネクタのような分岐切替区間を含む３点対向切替接続が可能な光ファイバケーブル切替接続システムを提供することにある。
【０００７】
【課題を解決するための手段】
本発明の光ファイバケーブル３点切替接続システムは、上記の目的を達成するため、光ファイバ多心ＭＴコネクタの接続点を含む光ファイバケーブルの、接続点と接続点との間の分岐切替区間の現用光ファイバテープ心線を、切替用光ファイバテープ心線に交換するための切替接続システムであって、
該分岐切替区間光ファイバテープ心線の一端には、現用光ファイバテープ心線に対応する心数の心線を収容する第１多心ＭＴコネクタが接続され、他端には、第１多心ＭＴコネクタに収容された心線の他端を分岐収容する第２及び第３多心ＭＴコネクタが接続されており、
第１多心ＭＴコネクタ、第２多心ＭＴコネクタ及び第３多心ＭＴコネクタが、それぞれ現用ケーブルと接続された第１接続点、第２接続点及び第３接続点で、該分岐切替区間現用光ファイバテープ心線を切替用光ファイバテープ心線に切替接続するに際し、
各第１接続点、第２接続点及び第３接続点に、切替接続を行うための第１光ファイバコネクタ切替装置、第２光ファイバコネクタ切替装置及び第３光ファイバコネクタ切替装置をそれぞれ設け、前記第１の光ファイバコネクタ切替装置と第２及び第３の光ファイバコネクタ切替装置との間において同期とりながら切替動作を行い、
前記第１、第２及び第３の光ファイバコネクタ切替装置の切替動作として、現用光ファイバを切替用光ファイバに切替接続する切替接続動作と、当該切替接続前の動作及び切替接続後の動作とを含み、切替接続動作を第１の光ファイバコネクタ切替装置と第２及び第３の光ファイバコネクタ切替装置との間において同時に行い、前記切替接続の前後の動作は第１の光ファイバコネクタ切替装置と第２及び第３の光ファイバコネクタ切替装置との間においてタイミングをずらして行うことを特徴とする。
【０００８】
このような本発明の切替接続システムにおいては、３台の光ファイバコネクタ切替装置間で切替動作同期をとるために、それぞれの光ファイバコネクタ切替装置には同期切替制御装置が接続され、第１接続点に設置される主同期切替制御装置は２系統の同期制御機能を持ち、該主同期切替制御装置からの切替同期制御信号は２系統の制御用光ファイバ心線を介して第２及び第３接続点のそれぞれに設置される従同期切替制御装置に送出され、光ファイバコネクタ切替装置３台の同期切替動作を可能にすることが望ましい。
【０００９】
本発明の切替接続システムにおいては、更に、第１、第２及び第３光ファイバコネクタ切替装置のそれぞれは、第１、第２及び第３接続点における切替接続動作の前後において、コネクタ切替動作前動作として、コネクタ結合状態保持用ＭＴコネクタクリップを取り外すため、ＭＴコネクタクリップの結合保持状態を機械的に維持するための押圧印加動作、コネクタ嵌合ピンの抜き動作及びＭＴコネクタクリップ取り外し動作を行い、コネクタ切替動作後動作として、コネクタ結合状態保持用ＭＴコネクタクリップ取り付け動作、ＭＴコネクタクリップに対する押圧を解放するための押圧解放動作を行い、第１光ファイバコネクタ切替装置のコネクタ切替前後動作のタイミングと、第２及び第３光ファイバコネクタ切替装置のコネクタ切替前後動作のタイミングをずらせて行うことにより、光信号の光レベル変動を抑制することを可能にすることが望ましい。
【００１０】
【発明の実施の形態】
次に図面を用いて本発明の実施例を説明する。
図２は、本発明に係わる光ファイバケーブル３点切替接続システムの実施例を説明するための図である。図２においては、従来例を示す図１と同一の構成部分には同一の参照符号が付されている。
【００１１】
図中、１は主同期切替制御装置、２ａ、２ｂ及び２ｃは光ファイバ多心コネクタ切替装置、３ａ及び３ｂは従同期切替制御装置、４は切替区間現用光ファイバテープ心線、５は切替用光ファイバテープ心線、６ａ、６ｄ及び６ｆは現用ケーブル側光ファイバ多心コネクタ、６ｂ、６ｃ及び６ｅは切替区間現用光ファイバ多心コネクタ、７ａ、７ｂ及び７ｃは切替用光ファイバ多心コネクタ、８は制御用光ファイバ心線、９ａ、９ｂ及び９ｃは切替区間外の現用光ファイバテープ心線である。
【００１２】
本発明による光ファイバケーブル３点切替接続システムの切替接続動作は次のとおりである。先ず、光ファイバ多心コネクタ切替装置２ａ、２ｂ及び２ｃの各々に現用ケーブル側光ファイバ多心コネクタ６ａ、６ｄ及び６ｆ、切替区間現用光ファイバ多心コネクタ６ｂ、６ｃ及び６ｅ並びに切替用光ファイバ多心コネクタ７ａ、７ｂ及び７ｃを図２（ａ）  に示すように設置する。この状態で、主同期切替制御装置１及び従同期切替制御装置３ａ及び３ｂにより、制御用光ファイバ心線８を介して３点間の同期をとり、光ファイバ多心コネクタ切替装置２ａ、２ｂ及び２ｃがほぼ同時に動作するように制御し、図２（ｂ）  に示すように、現用ケーブル側光ファイバ多心コネクタ６ａ、６ｄ及び６ｆを切替用光ファイバ多心コネクタ７ａ、７ｂ及び７ｃに、瞬時に突き合わせて切替える。
【００１３】
以上説明したように、上記実施例によれば、第１接続点に設置される主同期切替制御装置１に２系統の同期制御機能を持たせることにより、第１接続点の主同期切替制御装置１と第２及び第３接続点のそれぞれに設置される従同期切替制御装置３ａ及び３ｂの同期制御を行うことができる。従って、３台の光ファイバ多心コネクタ切替装置２ａ、２ｂ及び２ｃの同期動作が可能になることにより、従来の光ファイバケーブル切替接続システムでは切替え不可能であった例えば８心コネクタと４心コネクタ＋４心コネクタの分岐接続３点対向切替えが可能になり、切替時間の短縮及び切替接続を自動化することができる。
【００１４】
図３は本発明の実施例の光ファイバコネクタ切替装置におけるコネクタ切替動作行程の一連の流れを示すフロー図である。図には第１、第２及び第３光ファイバコネクタ切替装置のそれぞれの動作シーケンスが示されており、点線矢印は同時動作を表し、二重線矢印は矢印の方向に続いて動作することを表す。このように、第１光ファイバコネクタ切替装置のコネクタ切替前後動作のタイミングと、第２及び第３光ファイバコネクタ切替装置のコネクタ切替前後動作のタイミングをずらせて行うことにより、光信号の光レベル変動を抑制することができる。
【００１５】
【発明の効果】
以上の説明から明らかなように、本発明の光ファイバケーブル３点切替接続システムによれば、第１接続点に設置される主同期切替制御装置に２系統の同期制御機能を持たせ、第２及び第３接続点のそれぞれに設置される２台の従同期切替制御装置の同期制御を行い、切替装置の３台対向動作を可能にしたシステム構成により、従来装置に比較して適用範囲が拡大された。即ち、８心テープを２分割して２本の４心テープにするような分岐線路の切替工事において、切替稼動の削減もさることながら切替時間の短縮化によるサービス性の向上を実現できる。
【図面の簡単な説明】
【図１】従来の光ファイバケーブル切替接続システムを説明する図である。
【図２】本発明による光ファイバケーブル切替接続システムの実施例を説明する図である。
【図３】本発明の実施例の光ファイバコネクタ切替装置におけるコネクタ切替動作行程の一連の流れを示すフロー図である。
【符号の説明】
１  主同期切替制御装置
２  光ファイバ多心コネクタ切替装置
３  従同期切替制御装置
４  切替区間現用光ファイバテープ心線
５  切替用光ファイバテープ心線
６  現用光ファイバ多心コネクタ
７  切替用光ファイバ多心コネクタ
８  制御用光ファイバ心線
９  切替区間外の現用光ファイバテープ心線
【図１】
0003573606.tif 000002
【図２】
0003573606.tif 000003
【図３】
0003573606.tif 000004